(57)【要約】      （修正有）【課題】搬送先が同一である複数の薬剤トレイに補充しなければならない管理薬剤を、まとめて管理薬剤容器に取り揃えようとするとき、管理薬剤の取り揃え間違いの可能性が低い薬剤取揃支援システムを提供する。【解決手段】薬剤取揃支援システム２１は、一般薬剤が払い出された薬剤トレイ２２および管理薬剤容器２４を搬出する薬剤払出機２３と、ディスプレイ３０を有し管理薬剤を保管する薬剤保管庫２５と、患者ごとに付与された患者ＩＤ、搬送先情報、処方箋情報および搬送先情報の搬送先を同一とした複数の処方箋情報にある管理薬剤の名称情報、個数情報をまとめて示す管理薬剤補充情報を関連づけて記録するデータ管理部２６と、を備え、薬剤保管庫２５は、容器ＩＤに関連づけられた管理薬剤補充情報をデータ管理部２６より取得してディスプレイ３０に表示する構成である。【選択図】図１
2012018560.tif 000002
【特許請求の範囲】
【請求項１】
処方箋情報に応じて薬剤収納体に一般薬剤を払い出す薬剤払出機と、
劇薬および保冷が必要な薬剤である管理薬剤を保管する薬剤保管庫と、
搬送先が同一である複数の前記処方箋情報に含まれる管理薬剤の名称情報、個数情報をまとめた管理薬剤補充情報を作成するデータ管理部と、を備え、
前記データ管理部は、受信した管理薬剤容器の容器ＩＤを、前記複数の処方箋情報から作成された前記管理薬剤補充情報と関連づけて記録し、
前記薬剤保管庫は、検出された前記管理薬剤容器の前記容器ＩＤに関連づけられた前記管理薬剤補充情報をディスプレイに表示する
薬剤取揃支援システム。
【請求項２】
前記薬剤払出機は、搬送先が同じ薬剤収納体を搬出した後に前記管理薬剤容器を搬出するか、または、前記管理薬剤容器を搬出した後に搬送先が同じ薬剤収納体を搬出する
請求項１に記載の薬剤取揃支援システム。
【請求項３】
前記薬剤収納体を複数個搭載して移動する搬送カートを、さらに備え、
前記搬送カートで、前記管理薬剤容器の容器ＩＤが検出されると、検出された前記容器ＩＤおよび前記搬送カートのカートＩＤが前記データ管理部へ送信され、
前記データ管理部で、前記カートＩＤよりカート搬送先情報を取得し、前記カート搬送先情報と前記容器ＩＤに間連づけられた前記搬送先情報とが比較される
請求項１または請求項２に記載の薬剤取揃支援システム。
【請求項４】
前記薬剤収納体を複数個搭載して移動することができる搬送カートを、さらに備え、
前記薬剤払出機で、前記処方箋情報に応じて前記一般薬剤が払い出された前記薬剤収納体の収納体ＩＤを、前記処方箋情報および前記搬送先情報と関連づけて前記データ管理部に記録し、
前記搬送カートで、前記薬剤収納体の前記収納体ＩＤおよび前記管理薬剤容器の前記容器ＩＤが検出されると、前記収納体ＩＤおよび前記容器ＩＤが前記データ管理部へ送信され、前記搬送カートより送信された前記収納体ＩＤおよび容器ＩＤの組み合わせと、前記データ管理部に記録された前記収納体ＩＤおよび前記容器ＩＤの間連づけが比較される
請求項１または請求項２に記載の薬剤取揃支援システム。
【請求項５】
前記薬剤保管庫として、保冷状態で保冷管理薬剤を保管する薬剤保冷庫と、常温状態で常温管理薬剤を保管する薬剤常温庫とを備え、
前記データ管理部は、前記管理薬剤補充情報として、搬送先を同一とする前記処方箋情報にある前記保冷管理薬剤の名称情報、個数情報をまとめた保冷管理薬剤補充情報と、搬送先を同一とする前記処方箋情報にある前記常温管理薬剤の名称情報および個数情報をまとめた常温管理薬剤補充情報を作成し、
前記薬剤保冷庫は、検出された前記管理薬剤容器の前記容器ＩＤと間連づけられた前記保冷管理薬剤補充情報を前記薬剤保管庫のディスプレイに表示し、
前記薬剤常温庫は、検出された前記管理薬剤容器の前記容器ＩＤと間連づけられた前記常温管理薬剤補充情報を前記薬剤常温庫のディスプレイに表示する
請求項１〜請求項４のいずれか１項に記載の薬剤取揃支援システム。
【請求項６】
処方箋情報に応じて薬剤収納体へ一般薬剤を払い出す薬剤払出機と、
劇薬および保冷が必要な薬剤である管理薬剤を保管する薬剤保管庫と、
搬送先が同一である複数の前記処方箋情報から管理薬剤の名称情報、個数情報をまとめた管理薬剤補充情報を作成して搬送先情報と関連付けるデータ管理部と、を備え、
前記薬剤保管庫は、前記薬剤保管庫で搬送先情報が入力されると、前記搬送先情報に関連づけられた前記管理薬剤補充情報をディスプレイに表示する
薬剤取揃支援システム。
【請求項７】
管理薬剤容器と前記薬剤収納体を複数個搭載して移動する搬送カートを備え、
前記薬剤保管庫で前記搬送先情報が入力されると、前記薬剤保管庫の近傍で検出された前記管理薬剤容器の容器ＩＤを前記搬送先情報と関連づけて記録し、
前記搬送カートで、前記管理薬剤容器の前記容器ＩＤが検出されると、検出された容器ＩＤおよび前記搬送カートのカートＩＤに基づいて、前記カート搬送先情報と前記容器ＩＤに間連づけられた前記搬送先情報とを比較して、これら情報の一致を確認する
請求項６に記載の薬剤取揃支援システム。
【請求項８】
管理薬剤容器と前記薬剤収納体を複数個搭載して移動する搬送カートを備え、
前記薬剤払出機で前記処方箋情報に応じて前記一般薬剤が払い出された前記薬剤収納体の収納体ＩＤを、前記処方箋情報や前記患者情報や前記搬送先情報と関連づけて前記データ管理部に記録し、
前記薬剤保管庫で前記搬送先情報が入力されて、前記薬剤保管庫は近傍にある前記管理薬剤容器の容器ＩＤを検出し、前記容器ＩＤが前記搬送先情報と関連づけてデータ管理部に記録し、
前記搬送カートで、前記薬剤収納体の前記収納体ＩＤおよび前記管理薬剤容器の前記容器ＩＤが検出されると、検出された前記収納体ＩＤおよび前記容器ＩＤの組み合わせと、前記データ管理部に記録された前記収納体ＩＤおよび前記容器ＩＤの関連づけを比較して、これらの一致を確認する
請求項６に記載の薬剤取揃支援システム。
【請求項９】
前記薬剤保管庫として、保冷状態で保冷管理薬剤を保管する薬剤保冷庫と、常温状態で常温管理薬剤を保管する薬剤常温庫とを備え、
前記データ管理部は、前記管理薬剤補充情報として、前記保冷管理薬剤の名称情報、個数情報をまとめた保冷管理薬剤補充情報と、前記常温管理薬剤の名称情報および個数情報をまとめた常温管理薬剤補充情報を記録し、
前記薬剤保冷庫で前記搬送先情報が入力されると、前記データ管理部に記録された前記搬送先情報と関連づけられた前記保冷管理薬剤補充情報を前記薬剤保冷庫のディスプレイに表示し、
前記薬剤常温庫で前記搬送先情報が入力されると、前記データ管理部に記録された前記搬送先情報と関連づけられた前記常温管理薬剤補充情報を前記薬剤常温庫のディスプレイに表示する
請求項６〜請求項８のいずれか１項に記載の薬剤取揃支援システム。
【発明の詳細な説明】
【技術分野】
【０００１】
本発明は、薬剤トレイへ患者への薬剤を準備する薬剤取揃支援システムに関する。
【背景技術】
【０００２】
処方箋に対応した薬剤を取り揃えることを支援する薬剤取揃支援システムがある（例えば、特許文献１参照）。
【０００３】
図２０は、従来の薬剤取揃支援システム１の構成図を示す。この薬剤取揃支援システム１は、図２０に示すように処方箋情報を分割された画面３に表示する。トレイ２は、画面３の処方箋情報の表示に対応して区切られている。具体的には、処方箋情報は、画面３に表示された９個の領域に分割して表示されており、トレイ２はこの画面３の９個の領域に対応して９個の領域に区分されている。
【０００４】
薬剤を取り揃える場合を説明する。まず、作業者が、画面３上の処方箋情報の表示を見ながら、薬剤を薬剤棚から持参して、画面３上に表示されているウィンドウ領域に対応するトレイ２の領域に設置する。作業者がトレイ２の領域に薬剤を設置すると、トレイ２のタグリーダ（図示せず）は、薬剤の瓶等に貼付されたタグを読み取る。このタグの情報に基づき、情報処理装置（図示せず）は、トレイ２に設置された薬剤が、取り揃えるべき薬剤であるか、また、この薬剤の有効期限が過ぎていないか、を判断する。そして、判断結果を画面３に表示する。
【０００５】
なお、薬剤取揃支援システム１で扱われる薬剤は、一般薬剤以外に、劇薬および保冷の必要な管理薬剤がある。一般薬剤は薬剤棚に保管され、管理薬剤は薬剤保管庫に保管される。一般薬剤と管理薬剤とは分けて管理されるため、薬剤取揃支援システム１で一般薬剤と管理薬剤とを取り揃えるには、あらかじめ処方箋にある管理薬剤を薬剤保管庫より管理薬剤容器に取り揃え、その管理薬剤容器を薬剤取揃支援システム１の近傍に運ぶ必要がある。
【０００６】
また、処方箋が複数ある場合、薬剤の取り揃えを効率よく行うために、複数の処方箋にある管理薬剤を管理薬剤容器へまとめて取り揃え、その管理薬剤容器を薬剤トレイ２へ運ぶことが考えられる。その場合、処方指示を印刷した複数の処方箋の用紙を見て、作業者が管理薬剤を管理薬剤容器に取り揃える。
【０００７】
なお、大規模な病院施設では、薬剤の取り揃えは薬剤部で一括して行われる場合がある。その場合、管理薬剤容器の搬送先は複数あるので、管理薬剤容器を搬送先ごとに分けて、作業者が複数の処方箋の用紙を見て、搬送先毎の複数の管理薬剤を搬送先用の管理薬剤容器に取り揃える。そして、搬送先毎の管理薬剤容器はそれぞれの搬送先であるナースステーションへ運ばれ、患者用の薬剤トレイへ管理薬剤容器から管理薬剤を補充し、薬剤の取り揃えが行われる。
【先行技術文献】
【特許文献】
【０００８】
【特許文献１】特開２００４−７０８０３号公報
【発明の概要】
【発明が解決しようとする課題】
【０００９】
しかしながら、搬送先が同一である管理薬剤をまとめて管理薬剤容器に取り揃えようとすると、作業者は管理薬剤の取り揃えを間違い易いという課題がある。
【００１０】
なぜなら、処方箋は同一フォーマットで作成されると共に、類似する薬剤名が多いためである。そのため、複数の処方箋の印刷用紙を用いて、管理薬剤を管理薬剤容器に取り揃えようとすると、その用紙のひとつを紛失する場合や、同じ用紙を繰り返して読む場合などがある。そのような場合、管理薬剤の間違いが起こる可能性がある。
【００１１】
また、搬送先が複数ある場合には、ある搬送先用の管理薬剤容器に別の搬送先用の管理薬剤が混入する可能性がある。
【００１２】
本発明は、従来の課題を解決し、管理薬剤の取り揃え間違いの可能性が低い薬剤取揃支援システムを提供することを目的とする。
【課題を解決するための手段】
【００１３】
前記従来の課題を解決するために、本発明の薬剤取揃支援システムは、処方箋情報に応じて薬剤収納体に一般薬剤を払い出す薬剤払出機と、劇薬および保冷が必要な薬剤である管理薬剤を保管する薬剤保管庫と、搬送先が同一である複数の前記処方箋情報に含まれる管理薬剤の名称情報、個数情報をまとめた管理薬剤補充情報を作成するデータ管理部と、を備え、前記データ管理部は、受信した管理薬剤容器の容器ＩＤを、前記複数の処方箋情報から作成された前記管理薬剤補充情報と関連づけて記録し、前記薬剤保管庫は、検出された前記管理薬剤容器の前記容器ＩＤに関連づけられた前記管理薬剤補充情報をディスプレイに表示することを特徴とする。
【００１４】
また、前記従来の課題を解決するために、本発明の別の薬剤取揃支援システムは、処方箋情報に応じて薬剤収納体へ一般薬剤を払い出す薬剤払出機と、劇薬および保冷が必要な薬剤である管理薬剤を保管する薬剤保管庫と、搬送先が同一である複数の前記処方箋情報から管理薬剤の名称情報、個数情報をまとめた管理薬剤補充情報を作成して搬送先情報と関連付けるデータ管理部と、を備え、前記薬剤保管庫は、前記薬剤保管庫で搬送先情報が入力されると、前記搬送先情報に関連づけられた前記管理薬剤補充情報をディスプレイに表示することを特徴とする。
【発明の効果】
【００１５】
以上のように、本発明の薬剤取揃支援システムによれば、管理薬剤の取り揃え間違いを防止することができる。
【図面の簡単な説明】
【００１６】
【図１】本発明の実施の形態１における薬剤取揃支援システムの概略構成図
【図２】本実施の形態１における薬剤取揃支援システムの基本動作を説明する説明図
【図３】本実施の形態１における薬剤払出機の動作のフローチャート
【図４】本実施の形態１における薬剤トレイの上面図
【図５】本実施の形態１における管理薬剤容器の斜視図
【図６】本実施の形態１におけるデータ管理部の管理表を示す図
【図７】本実施の形態１における薬剤保管庫の正面図
【図８】本実施の形態１における薬剤保管庫の動作のフローチャート
【図９】本実施の形態１における薬剤保管庫のディスプレイの画面を示す図
【図１０】本実施の形態１における薬剤の取り揃えが終了した薬剤保管庫のディスプレイの画面を示す図
【図１１】本発明の実施の形態２における薬剤取揃支援システムの概略構成図
【図１２】本発明の実施の形態３における薬剤取揃支援システムの概略構成図
【図１３】本発明の実施の形態４における薬剤取揃支援システムの基本動作の説明図
【図１４】本実施の形態４における薬剤払出機の動作のフローチャート
【図１５】本実施の形態４における薬剤保管庫の動作のフローチャート
【図１６】本実施の形態４における薬剤保管庫のディスプレイの画面を示す図
【図１７】本発明の実施の形態５における薬剤取揃支援システムの概略構成図
【図１８】本実施の形態５における薬剤保管庫である薬剤常温庫の正面図
【図１９】本実施の形態５における薬剤取揃支援システムの基本動作の説明図
【図２０】従来の薬剤取揃支援システムの構成図
【発明を実施するための形態】
【００１７】
以下、本発明の実施の形態について、図面を参照しながら説明する。なお、同じ構成要素には同じ符号を付しており、説明を省略する場合もある。また、図面は理解しやすくするために、それぞれの構成要素を主体に模式的に示している。
【００１８】
（実施の形態１）
図１は、本発明の実施の形態１における薬剤取揃支援システムの概略構成図である。図２は、本実施の形態１における薬剤取揃支援システムの基本動作を説明する説明図である。
【００１９】
図１、図２に示すように、本実施の形態１の薬剤取揃支援システム２１は、薬剤払出機２３と、ディスプレイ３０を有し管理薬剤を保管する薬剤保管庫２５と、データ管理部２６と、を備える。
【００２０】
薬剤払出機２３は、内部に薬剤トレイ（薬剤収納体）２２および管理薬剤容器２４を保持し、処方箋情報に応じて薬剤トレイ２２へ一般薬剤を払い出す機器である。一般薬剤が払い出された薬剤トレイ２２および管理薬剤容器２４は、薬剤払出機２３から搬出される。
【００２１】
また、データ管理部２６は、患者毎の処方指示や院内情報に基づいて、患者ＩＤ、処方箋情報、搬送先情報を取得して記録する。また、データ管理部２６は、搬送先情報の搬送先が同一のものについて、複数の処方箋情報にある管理薬剤の名称情報、個数情報をまとめた管理薬剤補充情報を作成して記録する。
【００２２】
そして、薬剤払出機２３は、データ管理部２６より処方箋情報を受信し、それら処方箋情報に応じて薬剤トレイ２２へ搬送先を同一とする一般薬剤を払い出す。さらに、薬剤払出機２３は、搬出する管理薬剤容器２４の容器ＩＤを検出してデータ管理部２６へ送信する。
【００２３】
データ管理部２６は、薬剤払出機２３より受信した容器ＩＤを、管理薬剤補充情報と関連づけて記録する。ここで、管理薬剤補充情報とは、薬剤払出機２３へ送信された搬送先が同一である複数の処方箋情報と関連づけられた情報であり、同時に、データ管理部２６で容器ＩＤと間連づけられた情報である。そして、管理薬剤容器２４の容器ＩＤを検出すると、薬剤保管庫２５は、容器ＩＤに関連づけられた管理薬剤補充情報をデータ管理部２６より取得してディスプレイ３０に表示する。なお、薬剤管理庫２５は、図７に示すように、データ管理部２６から取得した情報を表示する保管庫管理部５２と、管理薬剤を保管する棚を含む保管庫保冷棚部５１と、によって構成されている。図７ではこれらを一体的に図示しているが、ディスプレイ３０を含む保冷庫管理部５２は、棚を含む保管庫保冷棚部５１と分離して、保管庫保冷棚部５１と別の場所に設置してあっても良い。
【００２４】
そして、管理薬剤補充情報が薬剤保管庫２５のディスプレイ３０に表示されるので、管理薬剤容器２４に間違いなく管理薬剤を取り揃えることができる。また、このとき、管理薬剤容器２４に、搬送先が同一である複数の薬剤トレイ２２に補充すべき管理薬剤を間違いなく取り揃えることもできる。
【００２５】
次に、図２を用いて、薬剤取揃支援システム２１の基本的な動作について説明する。
【００２６】
薬剤払出機２３は、データ管理部２６より取得した管理情報（患者ＩＤ、処方箋情報、など）に従い、患者毎に薬剤トレイ２２へ一般薬剤を払い出す。このとき、薬剤払出機２３は、搬送先が同一である処方箋情報を取得し続ける。そして、搬送先が同一である複数の薬剤トレイ２２を、連続して搬出する。搬送先が同一である複数の薬剤トレイ２２を搬出した後に、続けて管理薬剤容器２４を搬出する。このとき、薬剤払出機２３は、薬剤トレイ２２のトレイＩＤを検出し、患者ＩＤと関連づけてトレイＩＤと払出情報をデータ管理部２６に送信する。また、搬出する管理薬剤容器２４の容器ＩＤを検出し、容器ＩＤと搬送先が同一である複数の患者ＩＤ（もしくは搬送先が同一である複数のトレイＩＤ）を関連づけてデータ管理部２６へ送信する。そして、データ管理部２６では、管理薬剤補充情報と管理薬剤容器２４の容器ＩＤとが、関連づけて記録される。なお、ここでは、搬出時の管理薬剤容器２４は空の状態である。
【００２７】
管理薬剤容器２４が搬出されると、作業者は、搬送先が同一である複数の薬剤トレイ２２と管理薬剤容器２４とを、搬送カート３１に積む。
【００２８】
このように、搬送先が同一である複数の薬剤トレイ２２と管理薬剤容器２４とが連続して薬剤払出機２３から搬出されるので、一つの搬送カート３１に、まとめて搭載しておくことができる。なお、搬出される順番としては、管理薬剤容器２４を搬出した後に、薬剤トレイ２２を搬出してもよい。この順にすることで、管理薬剤容器２４の大きさを事前に把握することができ、その後に搬出される複数の薬剤トレイ２２に対応する処方箋情報の管理薬剤の量を、管理薬剤容器２４の大きさぴったりにすることも可能となる。すなわち、管理薬剤の管理の効率を上げることができる。
【００２９】
この搬送カート３１は薬剤保管庫２５が存在する場所に運ばれ、搬送カート３１に搭載されている管理薬剤容器２４は薬剤保管庫２５へ運ばれる。管理薬剤容器２４を薬剤保管庫２５のテーブル２９に載せると、テーブル２９に内蔵されたＲＦＩＤリーダ２９ａが、管理薬剤容器２４のＲＦＩＤタグ４７より容器ＩＤを検出する。すると、薬剤保管庫２５は、データ管理部２６へ問合せ、この管理薬剤容器２４に取り揃えを必要とする管理薬剤補充情報を取得し、ディスプレイ３０にその管理薬剤補充情報を表示する。なお、管理薬剤補充情報のディスプレイ３０への表示は、あらかじめデータ管理部２６から取得しておいた管理薬剤補充情報を用いて表示しても良い。
【００３０】
この管理薬剤補充情報は、搬送カート３１に積んだ複数の薬剤トレイ２２それぞれに補充が必要な管理薬剤の情報である。そして、作業者は、管理薬剤補充情報に従い管理薬剤を管理薬剤容器２４に取り揃える。
【００３１】
この管理薬剤補充情報に従って薬剤の取り揃えを行なうことで、管理薬剤容器２４に、搬送先が同じ薬剤トレイ２２それぞれに補充すべき管理薬剤を間違いなく取り揃えることができる。
【００３２】
以下、薬剤取揃支援システム２１を用いた薬剤の取り揃えについて詳細を説明する。図３は、本実施の形態１における薬剤取揃支援システム２１の薬剤払出機２３の動作のフローチャートである。
【００３３】
まず、医局の処方箋作成端末（図示せず）で作成された処方箋情報は、患者ＩＤを加えて、データ管理部２６へ通信回線２７を経由して送信される。そして、データ管理部２６は、患者の患者ＩＤ、処方箋情報を関連づけて記録する。さらに、患者ＩＤを基に医局のデータベース（図示せず）を検索して、患者の入院場所をを示す搬送先情報を取得して関連づけて記録する。
【００３４】
薬剤払出機２３は、同一搬送先の患者ＩＤ、処方箋情報などをデータ管理部２６より取得する（ステップＳ０１）。
【００３５】
次に、薬剤払出機２３は、保管している薬剤トレイ２２のトレイＩＤを検出する（ステップＳ０２）。図４は、本実施の形態１における薬剤トレイ２２の上面図である。薬剤トレイ２２はＲＦＩＤタグ４１を有し、このＲＦＩＤタグ４１にトレイＩＤの情報が記録されている。そして、薬剤払出機２３の内部に組込んだＲＦＩＤリーダ（図示せず）で、ＲＦＩＤタグ４１を読み取りトレイＩＤを検出する。
【００３６】
次に、薬剤払出機２３は、ステップＳ０２でトレイＩＤを検出した薬剤トレイ２２へ処方箋情報に従い一般薬剤を払い出す（ステップＳ０３）。
【００３７】
そして、一般薬剤が払い出された薬剤トレイ２２のトレイＩＤと薬剤トレイ２２へ払い出した薬剤の情報を示す払出情報を患者ＩＤと共にデータ管理部２６へ送信する（ステップＳ０４）。データ管理部２６は、トレイＩＤおよび払出情報を患者ＩＤと共に受信して、トレイＩＤおよび払出情報を患者ＩＤに関連付けて記録する。
【００３８】
薬剤払出機２３は、ステップＳ０１で取得した搬送先が同一である患者の処方箋情報に対する一般薬剤の払出が、終了したか否かを判定する（ステップＳ０５）。それらの払い出しが終了していなければ、ステップＳ０２に戻る。それらの払い出しが終了していれば、次のステップＳ０６へ進む。
【００３９】
そして、薬剤払出機２３内に保管している管理薬剤容器２４の容器ＩＤを検出する（ステップＳ０６）。図５に本実施の形態１における管理薬剤容器２４の斜視図を示す。管理薬剤容器２４は、内部に収納空間を有する収納部４５と、取り外し可能な蓋部４６と、収納部４５の下部に埋め込んだＲＦＩＤタグ４７とを有する。ＲＦＩＤタグ４７に、それぞれの管理薬剤容器２４に付与された容器ＩＤが記録されている。また、管理薬剤容器２４は、保冷機能を有する保冷容器であり、収納部４５、蓋部４６の内部に断熱材を内蔵している。また、管理薬剤容器２４は、収納部４５の収納空間に保冷材を入れて、収納部４５の開口を蓋部４６で閉じることにより、収納空間を低温に保持することもできる。ステップＳ０６において、薬剤払出機２３は、内部に組込んだＲＦＩＤリーダ（図示せず）で、ＲＦＩＤタグ４７を読み取り、容器ＩＤを検出する。
【００４０】
次に、薬剤払出機２３は、管理薬剤容器２４より検出した容器ＩＤをデータ管理部２６へ送信する（ステップＳ０７）。データ管理部２６は、この容器ＩＤを、直前に薬剤払出機２３へ送信された複数の処方箋情報もしくは直前に薬剤払出機２３から送られてきた患者ＩＤや処方箋情報と関連づける。これにより、データ管理部２６は、管理薬剤容器２４の容器ＩＤを搬送先が同一の複数の処方箋情報から作成された管理薬剤補充情報と関連づけて記録する。
【００４１】
その後、薬剤払出機２３は管理薬剤容器２４を搬出する（ステップＳ０８）。このようにして薬剤払出機２３は一連の動作を完了する。
【００４２】
そして、搬出された薬剤トレイ２２と、管理薬剤容器２４とが図１の払出棚２８より取り出されると、薬剤払出機２３は、新たな同一搬送先の患者ＩＤや処方箋情報をデータ管理部２６より取得して、ステップＳ０１〜ステップＳ０８の動作を繰り返す。
【００４３】
図６は、本実施の形態１におけるデータ管理部２６の管理表４８を示す図である。
【００４４】
データ管理部２６は、薬剤払出機２３より受信したトレイＩＤ、容器ＩＤを、図６に示すように患者ＩＤに対応させて管理表４８に記録する。さらに、データ管理部２６は、薬剤払出機２３に連続して払出動作させる複数の患者ＩＤや処方箋情報にある管理薬剤の名称情報、個数情報をまとめた管理薬剤補充情報を作成して記録する。ここで、管理薬剤補充情報は、搬送先を同一とした複数の患者ＩＤや処方箋情報である。また、薬剤払出機２３より受信した管理薬剤容器２４の容器ＩＤは、患者ＩＤや処方箋情報と関連づけられているので、データ管理部２６は容器ＩＤを管理薬剤補充情報と関連づけて記録する。
【００４５】
図１に示すように、本実施の形態１において、薬剤払出機２３の払出棚２８に、薬剤トレイ２２、管理薬剤容器２４が載っている状態は、薬剤トレイ２２、管理薬剤容器２４が薬剤払出機２３より搬出された状態であり、すぐにでも、薬剤トレイ２２、管理薬剤容器２４を取り出すことができる。
【００４６】
作業者は、これら薬剤トレイ２２と管理薬剤容器２４とを搬送カート３１に積載する。搬送カート３１は、薬剤トレイ２２、管理薬剤容器２４を搭載する収納部にＲＦＩＤタグリーダ（図示せず）を有しており、このＲＦＩＤタグリーダで、収納された薬剤トレイ２２のＲＦＩＤタグ４１より薬剤トレイ２２のトレイＩＤを検出する。さらに、ＲＦＩＤタグリーダは、収納された管理薬剤容器２４の容器ＩＤも検出する。そして、搬送カート３１は、無線通信により、トレイＩＤ、容器ＩＤ、搬送カート３１が個別に有するカートＩＤをデータ管理部２６へ送信する。データ管理部２６は、トレイＩＤと容器ＩＤとカートＩＤを関連づけて記録する。作業者は、薬剤トレイ２２に補充する必要のある管理薬剤を管理薬剤容器２４に取り揃えるため、管理薬剤容器２４を搬送カート３１より取出し薬剤保管庫２５へ運ぶ。
【００４７】
図７に薬剤保管庫２５の構成図を示す。薬剤保管庫２５は、保冷を必要とする管理薬剤６１を内部に収納して冷却保管する保管庫保冷棚部５１と、保管庫保冷棚部５１の薬剤を管理する薬剤庫管理部５２とを有する。薬剤庫管理部５２はタッチパネル機能を有するディスプレイ３０を有する。
【００４８】
保管庫管理部５２は、ディスプレイ３０の側面より突出した支持部５４の上方に設置したパンチルトカメラ（カメラレンズを上下左右に移動させることが可能なカメラ）５５と、支持部５４の下方に設置したＩＣカードリーダ５６と、ディスプレイ３０の下部に設置したバーコードリーダ５７およびトレイ用カメラ５８とを有する。さらに、保管庫管理部５２は、テーブル２９の内部に設けたＲＦＩＤリーダ２９ａと、保管庫保冷棚部５１のドアの施錠を行なう電子錠５９と、薬剤保管庫２５の各種情報を記録する制御器６３とを有する。なお、制御器６３は、薬剤保管庫２５で管理薬剤６１の取り揃えが認められた作業者の作業者情報を記録する。
【００４９】
ＩＣカードリーダ５６は作業者のＩＣカードを読取り、このＩＣカードリーダ５６で検出された作業者情報を、制御器６３に記録されている作業者情報と比較する。そして、作業者情報が制御器６３に記録されていて作業を許可することが可能であれば、薬剤保管庫２５の使用を許可する。
【００５０】
パンチルトカメラ５５は、作業者がＩＣカードをＩＣカードリーダ５６に読取らせたことを制御のトリガとして、作業者の顔の画像を撮影する。そして、制御器６３に撮影画像データをＩＣカードの識別情報および撮影時刻と共に記録する。これにより、作業者の顔を含む画像をエビデンス（証拠）として残す。なお、よりセキュリティを高めるために、制御器６３によってパンチルトカメラ５５の撮影画像に作業者の顔が含まれるか否かを自動チェックし、顔が含まれていない場合には、薬剤保管庫２５の使用を不許可にし、再度のＩＣカード認証を要求するようにしても良い。
【００５１】
バーコードリーダ５７は、保管庫保冷棚部５１の中にある管理薬剤に印刷または貼付されたバーコードを読み取り、薬剤情報を検出するためのものである。バーコードリーダ５７で読取られた薬剤情報を利用して、取り揃える管理薬剤の確認、保管庫保冷棚部５１の中にある管理薬剤の在庫管理が行なわれる。
【００５２】
トレイ用カメラ５８は、保冷を必要とする管理薬剤を管理薬剤容器２４に取り揃えた後に、管理薬剤容器２４にある管理薬剤を撮影し、取り揃え薬剤の証拠写真を撮影するためのものである。
【００５３】
保管庫保冷棚部５１は収納棚６０および複数の電子棚札６２を有する。そして、管理薬剤６１は、種類ごとに分けられて、収納棚６０のそれぞれの配置エリアに並べられる。また、電子棚札６２は、配置エリアごとに収納棚６０に取り付けられる。そして、取り揃えを必要とする管理薬剤６１の名前がディスプレイ３０に表示されると、ディスプレイ３０に表示された管理薬剤６１が並んだ配置エリアの電子棚札６２が光る。たとえば、取り揃えが必要な管理薬剤の電子棚札６２に、薬剤名と取揃必要個数を表示する。このように電子棚札６２が光ることで、作業者による管理薬剤６１の取出し間違いの可能性を減少させることができる。
【００５４】
図８は、本実施の形態１における薬剤保管庫２５を用いた管理薬剤取揃動作のフローチャートである。
【００５５】
まず、管理薬剤を管理薬剤容器２４に取り揃えるために、作業者は管理薬剤容器２４を薬剤保管庫２５に運ぶ。そして、管理薬剤容器２４をテーブル２９に置く。
【００５６】
作業者は、本人のＩＣカードをＩＣカードリーダ５６にかざす。すると、薬剤保管庫２５の薬剤庫管理部５２は、ＩＣカードリーダ５６を用いて、作業者のＩＣカードの認証と作業者の顔の撮影を行う（ステップＳ１１）。ＩＣカードリーダ５６は、作業者のＩＣカードの作業者情報を読み取り、制御器６３に登録されている作業者情報とを比較する。同時に、パンチルトカメラ５５は、ＩＣカードの認証動作を制御のトリガとして作業者の顔の撮影を行う。ＩＣカードの作業者情報と撮影画像は、制御器６３にデータとして保存される。
【００５７】
続いて、ステップＳ１１で読み取ったＩＣカードの作業者情報より、作業の許可、不許可を決める（ステップＳ１２）。具体的には、ＩＣカードの作業者情報が制御器６３に登録されていれば、薬剤保管庫２５の使用を許可する。作業者情報が制御器６３に登録されていない場合には、薬剤保管庫２５の使用を不許可にし、警告表示をディスプレイ３０に表示する。また、制御器６３は、パンチルトカメラ５５の撮影画像を分析し、人間の顔特徴が認識できないときは、たとえ作業者情報が登録されていても、薬剤保管庫２５の使用を不許可にし、再度のカード認証を要求する制御を行う。
【００５８】
薬剤保管庫２５は、ＲＦＩＤリーダ２９ａを用いて、テーブル２９に置かれた管理薬剤容器２４の容器ＩＤをＲＦＩＤタグ４１より検出する（ステップＳ１３）。
【００５９】
薬剤保管庫２５は、管理薬剤容器２４の容器ＩＤを、データ管理部２６へ送信する（ステップＳ１４）。
【００６０】
薬剤保管庫２５より容器ＩＤを受信すると、データ管理部２６は受信した容器ＩＤを基に管理表４８（図６に示す）を検索する。そして、その容器ＩＤに対応した管理薬剤補充情報および管理薬剤容器２４の搬送先情報を抽出し、抽出した管理剤補充情報および搬送先情報を薬剤保管庫２５へ送信する。薬剤保管庫２５は、データ管理部２６より管理薬剤補充情報および搬送先情報を受信する（ステップＳ１５）。
【００６１】
そして、薬剤保管庫２５の制御器６３は、受信した管理薬剤補充情報および搬送先情報を記録し、かつ、ディスプレイ３０に表示する（ステップＳ１６）。図９は、本実施の形態１における薬剤保管庫２５のディスプレイ３０の画面を示す図である。データ管理部２６より送られた管理薬剤補充情報に基づいて、テーブル２９に置かれた管理薬剤容器２４に補充が必要な薬剤名（保冷薬Ｋ、保冷薬Ｍ）と個数が、薬剤保管庫２５のディスプレイ３０に表示される。さらに、搬送先情報（５Ｆ）も表示される。なお、薬剤保管庫２５は、事前に管理薬剤補充情報や容器ＩＤを含む情報をデータ管理部２６より取得しておいて、管理薬剤容器２４の容器ＩＤが検出された時に、容器ＩＤに対応した管理薬剤補充情報をディスプレイ３０に表示しても良い。
【００６２】
図８のフローチャートに示すようにステップＳ１６で管理薬剤補充情報が表示された後、薬剤保管庫２５の電子錠５９の施錠解除が行なわれる（ステップＳ１７）。これにより、保管庫保冷棚部５１の中にある管理薬剤６１を取り出すことができる。
【００６３】
薬剤保管庫２５は、管理薬剤補充情報で指定されている保管庫保冷棚部５１の中で、管理薬剤が配置されている場所の電子棚札６２を点灯させる（ステップＳ１８）。すなわち、保冷薬Ｋ、保冷薬Ｍの配置エリアにある電子棚札６２が点灯し、薬剤名と必要取り出し個数を表示する。
【００６４】
作業者は、ディスプレイ３０に表示された管理薬剤６１である保冷薬Ｋを２個、保冷薬Ｍを２個、保管庫保冷棚部５１より取り出して、管理薬剤容器２４に取り揃える。
【００６５】
保管庫保冷棚部５１より管理薬剤６１を取出したときに、作業者は、管理薬剤６１のバーコードをバーコードリーダ５７に読み取らせる（ステップＳ１９）。すなわち、作業者は、保管庫保冷棚部５１より管理薬剤６１をひとつずつ取出し、取出した管理薬剤６１のバーコードをバーコードリーダ５７で読取らせる。これにより、薬剤保管庫２５の制御器６３は、取り出された管理薬剤６１のバーコードを検出する。
【００６６】
読取られた管理薬剤６１の薬剤が保冷薬Ｋであれば、図９に示すディスプレイ３０の個数が２から１に減り、電子棚札６２の必要取り出し個数も２から１に減る。制御器６３は、管理薬剤取出情報として保冷薬Ｋの個数を０から１に増やす。また、読取らせた管理薬剤６１の薬剤が保冷薬Ｋ、保冷薬Ｍいずれでもなければ、誤った管理薬剤６１を保管庫保冷棚部５１より取出したとして、ディスプレイ３０に警告メッセージを表示する。取り揃えの必要な管理薬剤に関して、取り出しとバーコード検出を行う。
【００６７】
取り揃えが必要な管理薬剤を必要個数分だけバーコードを検出すると、制御器６３は取り揃え終了画面（図１０参照）をディスプレイ３０に表示する。すなわち、管理薬剤補充情報にある保冷薬Ｋを２個、保冷薬Ｍを４個のバーコードを検出すると、図１０に示すように、管理薬剤の取り揃えが終了したことを示すメッセージと、取揃終了ボタンと、をディスプレイ３０に表示する（ステップＳ２０）。
【００６８】
作業者は、管理薬剤容器２４への管理薬剤６１の取り揃えが終了すると、ディスプレイ３０に表示された取揃終了ボタンのタッチ検出エリア６４を押す。このとき、薬剤保管庫２５は、タッチ検出エリア６４が押されたことを制御のトリガとして、トレイ用カメラ５８により管理薬剤容器２４の収納空間にある管理薬剤６１の撮影を行う（ステップＳ２１）。トレイ用カメラ５８で撮影された撮影画像情報は、制御器６３に記録される。
【００６９】
次に、薬剤保管庫２５は、管理薬剤補充情報の薬剤の取り揃えが完了した補充完了時刻と、管理薬剤容器２４の容器ＩＤと、をデータ管理部２６へ送信し、管理薬剤容器２４のＲＦＩＤタグ４７に補充薬剤の取揃完了を追加記録する（ステップＳ２２）。データ管理部２６では、受信した補充完了時刻と容器ＩＤとにより、管理表４８の容器ＩＤに関連付けられたデータとして補充完了時刻を記録する。このようにして薬剤保管庫２５での動作は終了する。
【００７０】
作業者は、管理薬剤容器２４に管理薬剤６１を取り揃えた後、管理薬剤容器２４の蓋を閉じて、管理薬剤容器２４を搬送カート３１に戻す。搬送カート３１は、管理薬剤容器２４のＲＦＩＤタグ４７より容器ＩＤを検出し、データ管理部２６に送信する。そして、作業者は、搬送カート３１を薬剤トレイ２２の搬送先へ移動させる。たとえば、搬送先の病棟のナースステーションで、搬送カート３１より管理薬剤容器２４が取り出される。管理薬剤容器２４の管理薬剤６１は、一時的にナースステーションの保冷庫に収納され、適切な保冷温度で保管される。また、必要に応じて、管理薬剤６１は薬剤トレイ２２に補充される。
【００７１】
このようにして、本実施の形態１の薬剤取揃支援システム２１を用いることで、管理薬剤容器２４に、搬送先が同じ複数の処方箋情報に必要な管理薬剤６１を間違いなく取り揃えることができる。
【００７２】
なお、ここでは、管理薬剤６１と、保冷機能のある薬剤保管庫２５を用いたが、管理薬剤として常温で保管する劇薬などの管理薬剤については、薬剤保管庫２５の保管庫保冷棚部５１を常温保管棚部としてもよい。
【００７３】
なお、図８のフローチャートのステップＳ１１やＳ１２で、パンチルトカメラ５５を用いて作業者の撮影が行われる。作業者の顔を確実に撮影したいので、薬剤保管庫２５が撮影された画像を分析して、作業者の顔が写っていない場合、ステップＳ１３に進めないようにすることが好ましい。また、作業者の画像より作業者の衣類の色、形状等をチェックして、作業者が特定のユニホームを着ていない場合、ステップＳ１３に進めないようにするとよい。また、パンチルトカメラ５５の前に作業者が立っていない場合もあるので、人体検知センサ（たとえば、焦電センサ）で作業者の位置を検出し、検出された位置にパンチルトカメラ５５の方向を合わせて撮影すると、より確実に作業者の画像を取得することができる。また、パンチルトカメラ５５の撮影画像において、ＩＣカードリーダ５６の近傍にある腕や肩を基点として顔位置を求めて、顔位置に顔特徴が無い場合はステップＳ１３に進めないようにすることで、顔写真の画像がより確実に撮影されるようになる。
【００７４】
（実施の形態２）
図１１は、本発明の実施の形態２における薬剤取揃支援システム７０の概略構成図である。
【００７５】
本実施の形態２の薬剤取揃支援システム７０は、管理薬剤容器２４の搬送先と搬送カート７１，７３の搬送先を比較することで、管理薬剤を取り揃えた管理薬剤容器２４を、間違えて異なる搬送先の搬送カート７３に搭載することを防止できる。例えば、薬剤保管庫２５で管理薬剤を取り揃え、管理薬剤容器２４を運んできた搬送カート７１に積み戻す場合、間違えて搬送先の異なる搬送カート７３に積載することを防止する。なお、その他の部分は実施の形態１と同様なので、説明は省略する。
【００７６】
図１１に示すように、薬剤取揃支援システム７０は、薬剤トレイ２２を複数個搭載して移動する搬送カートを、備えている。管理薬剤を取り揃えられた管理薬剤容器２４が搬送カートに７１に搭載された場合に、搬送カート７１は搭載された管理薬剤容器２４の容器ＩＤを検出する。搬送カート７１は、検出された容器ＩＤおよび搬送カート７１のカートＩＤをデータ管理部２６へ送信する。データ管理部２６は、カートＩＤと関連づけられたカート搬送先情報を取得し、容器ＩＤに間連づけられた管理薬剤容器２４の搬送先情報を取得し、カート搬送先情報と容器ＩＤの搬送先情報を比較する。なお、データ管理部２６はカートＩＤと搬送先情報を対応づけられたカート管理表を有し、カートＩＤから搬送カート７１のカート搬送先情報を得ることができる。
【００７７】
このように、搬送カート７１に搭載した管理薬剤容器２４の搬送先である搬送先情報と、搬送カート７１のカート搬送先情報とを比較することで、管理薬剤容器２４が適切な搬送カート７１に搭載されているか否かの判定をすることが可能となる。
【００７８】
具体的には、搬送カート７１に新たに管理薬剤容器２４が積まれると、搬送カート７１は、ＲＦＩＤリーダ７１ａにより管理薬剤容器２４のＲＦＩＤタグ４７より容器ＩＤを検出する。そして、搬送カート７１は、検出した容器ＩＤを搬送カート７１の有するカートＩＤと共にデータ管理部２６へ送信する。そして、データ管理部２６は、搬送カート７１の搬送先情報と容器ＩＤの搬送先情報とを比較して、搬送先が同一であるか否かを判定する。そして、搬送先が同一であるか否かの判定結果は、データ管理部２６より搬送カート７１へ送信される。搬送カート７１は、搬送先が同一でない（不同一）とする判定結果を受信すると、搬送カート７１に搭載された容器ＩＤと搬送カート７１の搬送先が異なることを作業者へ知らせる警告用の点灯部７２を点滅させる。このとき。、搬送先が同一であれば点灯部７２を消灯する。
【００７９】
このように本実施の形態２の薬剤取揃支援システム７０は、間違えて搬送先の異なる搬送カート７１に管理薬剤容器２４を積載すると、点灯部７２が点滅して、作業者に間違った搬送カート７３管理薬剤容器２４の積載していることを知らせる。よって、管理薬剤容器２４を搬送先の異なる搬送カート７３に搭載する間違いを防止することができる。
【００８０】
（実施の形態３）
図１２は、本発明の実施の形態３における薬剤取揃支援システム８０の概略構成図である。
【００８１】
薬剤取揃支援システム８０は、薬剤トレイ２２と管理薬剤容器２４を搬送先が異なる組み合わせで、搬送カート８３に搭載する間違いを防止することができる。例えば、薬剤保管庫２５で管理薬剤を取り揃えた管理薬剤容器２４を搬送カート８１に積み戻す場合、搬送先の異なる薬剤トレイ２２を搭載した搬送カート８３に間違えて積載することを防止する。なお、その他の部分は実施の形態１と同様なので、説明は省略する。
【００８２】
図１２に示すように、本実施の形態３の薬剤取揃支援システム８０は、薬剤トレイ２２を複数個搭載して移動することができる搬送カート８１を備えている。薬剤払出機２３は、処方箋情報に応じて一般薬剤が払い出された患者毎の薬剤トレイ２２のトレイＩＤを、患者ＩＤや処方箋情報と関連づけてデータ管理部２６に記録している。搬送先が同一の複数の処方箋情報から作成された管理薬剤補充情報に基づいて、管理薬剤容器２４に管理薬剤６１を取り揃えている。データ管理部２６は、管理薬剤容器２４の容器ＩＤと処方箋情報に関連づけられた搬送先情報を関連づけて記録している。搬送カート８１で、搭載された薬剤トレイ２２のトレイＩＤおよび管理薬剤容器２４の容器ＩＤが検出されると、検出されたトレイＩＤおよび容器ＩＤがデータ管理部２６へ送信される。搬送カート８１より送信されたトレイＩＤおよび容器ＩＤの組み合わせと、データ管理部２６に記録されたトレイＩＤおよび容器ＩＤの間連づけられた組合せとが比較される。
【００８３】
これにより、薬剤トレイ２２と管理薬剤容器２４を搬送先が異なる組み合わせで、搬送カート８１に搭載する間違いを防止することができる。
【００８４】
具体的には、搬送カート８１に新たに管理薬剤容器２４が積まれると、搬送カート８１は、ＲＦＩＤリーダ８１ａにより管理薬剤容器２４のＲＦＩＤタグ４７より容器ＩＤを検出する。搬送カート８１は薬剤トレイ２２のＲＦＩＤタグ４１よりトレイＩＤをその搭載時に検出している。搬送カート８１は、検出した容器ＩＤを既に搭載されているトレイＩＤと共にデータ管理部２６へ送信する。データ管理部２６は、搬送カート８１より受信した容器ＩＤとトレイＩＤの組合せを、図６に示す管理表４８で関連づけられている容器ＩＤとトレイＩＤの組み合わせと比較し、それらの組み合わせが同一であるか否かを判定する。そして、容器ＩＤとトレイＩＤの組み合わせの判定結果は、データ管理部２６より搬送カート８１へ送信される。搬送カート８１は、組み合わせ判定結果が不同一である場合には、搬送カート８１に搭載された容器ＩＤと搬送カート８１のトレイＩＤの搬送先が異なることを、作業者へ知らせる警告用の点灯部８２を点滅させる。組み合わせ判定結果が同一である場合には、点灯部８２を消灯した状態とする。
【００８５】
このように本実施の形態３の薬剤取揃支援システム８０は、搬送カート８１に搬送先の異なる管理薬剤容器２４を積載すると、点灯部８２が点滅して、作業者に管理薬剤容器２４を間違った搬送カート８１に積載していることを知らせる。よって、管理薬剤容器２４を搬送先の異なる薬剤トレイ２２と一緒に搬送カート８１に搭載する間違いを防止することができる。
【００８６】
（実施の形態４）
図１３は、本発明の実施の形態４における薬剤取揃支援システム９１の基本動作を説明する説明図である。
【００８７】
薬剤取揃支援システム９１は、ディスプレイ３０に表示される搬送先を選択することで、ディスプレイ３０に管理薬剤補充情報を表示するシステムである。これにより、管理薬剤容器２４に、搬送先が同じ複数の薬剤トレイ２２に補充すべき管理薬剤を間違いなく取り揃えることができる。なお、その他の部分は実施の形態１と同様なので、説明は省略する。
【００８８】
本実施の形態４の薬剤取揃支援システム９１は、内部に薬剤トレイ２２を保持し、患者毎の処方箋情報に応じて薬剤トレイ２２へ一般薬剤を払い出す薬剤払出機２３と、ディスプレイ３０を有し管理薬剤を保管する薬剤保管庫２５と、データ管理部２６とを備える。
【００８９】
データ管理部２６は、患者毎の処方指示や院内情報に基づいて、患者ＩＤ、処方箋情報、搬送先情報を取得して記録する。また、データ管理部２６は搬送先情報の搬送先を同一とする複数の処方箋情報にある管理薬剤の名称情報、個数情報をまとめた管理薬剤補充情報を作成して記録する。データ管理部２６は、管理薬剤補充情報と搬送先情報を組み合わせて、薬剤保管庫２５にデータ送信する。薬剤保管庫２５は、データ管理部２６の作成した複数の管理薬剤補充情報と搬送先情報を組み合わせて保存し、適時ディスプレイ３０に表示する。
【００９０】
そして、薬剤払出機２３は、データ管理部２６より搬送先を同一とする複数の患者ＩＤや処方箋情報を取得し、患者毎の処方箋情報に応じて個別の薬剤トレイ２２へ一般薬剤を払出す。薬剤保管庫２５は、薬剤保管庫２５で搬送先情報が入力されると、搬送先情報に関連づけられた管理薬剤補充情報をディスプレイ３０に表示する構成である。
【００９１】
この構成により、搬送先が同一である複数の薬剤トレイ２２に補充する管理薬剤の名称情報、個数情報がまとまって薬剤保管庫２５のディスプレイ３０に表示されるので、作業者は、複数の処方箋情報より個別に管理薬剤の名称、個数を読み取らなくてもよい。よって、管理薬剤容器２４に、搬送先が同一の複数の薬剤トレイ２２に補充すべき管理薬剤の取り揃え間違いを防止することができる。
【００９２】
次に、図１３の薬剤取揃支援システム９１の基本的な動作について説明する。
【００９３】
薬剤払出機２３は、データ管理部２６より取得した管理情報（患者ＩＤ、処方箋情報、など）に従い、患者毎に薬剤トレイ２２へ一般薬剤を払い出す。このとき、搬送先を同一とした処方箋情報をまとめて取得し、その後に、個別の処方箋情報に従って一般薬剤を患者毎の薬剤トレイ２２へ払い出す。そして、搬送先が同じ複数の処方箋情報に対応した複数の薬剤トレイ２２を連続して搬出する。
【００９４】
作業者は、搬送先を同じとする薬剤トレイ２２を搬送カート３１に搭載し、搬送カート３１に管理薬剤を補充するために、薬剤保管庫２５の所へ移動する。薬剤保管庫２５の内部もしくは近傍に配置されている容器保管部（図示せず）より、管理薬剤容器２４を取り出し、テーブル２９に管理薬剤容器２４を置く。
【００９５】
作業者は、ディスプレイ３０に表示されている搬送先情報から搬送カート３１の搬送先に相当する表示を選択する。たとえば、搬送カート３１の搬送先が５Ｆのナースステーションであれば、作業者はディスプレイ３０に表示された「５Ｆ」のタッチ検出エリアを押す。すると、ディスプレイ３０に、搬送先が５Ｆの管理薬剤補充情報が表示される。
【００９６】
この管理薬剤補充情報は、搬送先を５Ｆとする搬送カート３１に積んだ複数の薬剤トレイ２２に補充が必要な管理薬剤の情報である。そして、作業者は、管理薬剤補充情報の表示に従い管理薬剤を管理薬剤容器２４に取り揃える。このように、管理薬剤補充情報の表示に従って薬剤の取り揃えを行なうことで、管理薬剤容器２４に、搬送先が同一である薬剤トレイ２２に補充すべき管理薬剤を、間違いなく取り揃えることができる。
【００９７】
以下、本実施の形態４の薬剤取揃支援システム９１を用いた薬剤の取り揃えについて詳細を説明する。図１４は、本実施の形態４における薬剤取揃支援システム９１の薬剤払出機２３の動作のフローチャートである。
【００９８】
医局の処方箋作成端末で作成された処方箋情報は、患者ＩＤを加えて、データ管理部２６へ通信回線２７を経由して送信される。そして、データ管理部２６は、患者の患者ＩＤ、処方箋情報を関連づけて記録する。さらに、患者ＩＤを基に医局のデータベース（図示せず）を検索して、患者の入院場所を示す搬送先情報を取得して関連づけて記録する。
【００９９】
薬剤払出機２３は、同一搬送先の患者ＩＤ、処方箋情報などをデータ管理部２６より取得して、患者毎の薬剤トレイに患者毎の処方箋情報に応じて一般薬剤を払い出す。なお、ステップＳ２１〜ステップＳ２５の動作は、図３に示したステップＳ０１〜Ｓ０５の動作とそれぞれ同じであり、詳細な説明を省略する。
【０１００】
薬剤払出機２３より搬送先を同一とする複数の薬剤トレイ２２が搬出された後、作業者はこれらの薬剤トレイを、搬送カート３１に積載する。作業者は、この搬送カート３１の薬剤トレイ２２に補充する必要のある管理薬剤を集めるために、搬送カート３１を薬剤保管庫２５へ移動する。
【０１０１】
図１５は、本実施の形態４における薬剤保管庫２５の動作のフローチャートである。
【０１０２】
作業者は、本人のＩＣカードをＩＣカードリーダ５６にかざす。すると、薬剤保管庫２５は、ＩＣカードリーダ５６とパンチルトカメラ５５を用いて、作業者のＩＣカードを読取りと作業者の撮影を行う（ステップＳ３１）。ＩＣカードリーダ５６の読取ったＩＣカードの作業者情報は、制御器６３に登録されている作業者情報と比較される。同時に、パンチルトカメラ５５は、ＩＣカードの認証動作を制御のトリガとして作業者の撮影を行う。ＩＣカードの作業者情報と撮影画像は、制御器６３にデータ保存される。
【０１０３】
ステップＳ３１で読み取ったＩＣカードの作業者情報が制御器６３に登録されていれば、薬剤保管庫２５の使用を許可する。作業者情報が制御器６３に登録されていない場合には、薬剤保管庫２５の使用を不許可にし、警告表示をディスプレイ３０に表示する（ステップＳ３２）。
【０１０４】
作業者の使用が許可された場合には、作業者は、薬剤保管庫２５の容器保管部より管理薬剤容器２４を取出し、薬剤保管庫２５のテーブル２９に置く。なお、薬剤保管庫２５の容器保管部は保冷機能を持ち、管理薬剤容器２４の収納部分は所定温度で保冷されている。また、作業者の使用が許可された場合には、データ管理部２６で作成された複数の管理薬剤補充情報に対応する複数の搬送先情報が薬剤管理庫２５のディスプレイ３０に表示される。
【０１０５】
図１６は、本実施の形態４における薬剤保管庫２５のディスプレイ３０に表示される搬送先情報の画面を示す図である。図１６に示すように、データ管理部２６で作成された管理薬剤補充情報の存在する搬送先がディスプレイ３０に表示される。ここでは、管理薬剤補充情報の存在する搬送先は４Ｆ、５Ｆ、６Ｆのナースステーションである。
【０１０６】
作業者は、管理薬剤を取り揃える搬送先の文字エリアを押して、タッチパネル機能付きディスプレイ３０から搬送先を入力する（ステップＳ３３）。たとえば、作業者は「５Ｆ」の文字が表示されたタッチ検出エリア９５を押すことにより、薬剤保管庫２５は、タッチ検出エリア９５が押されたことを検出し、搬送先「５Ｆ」が入力されたことを検知する。すなわち、作業者は、取り揃える管理薬剤の搬送先を薬剤保管庫２５へ入力する。
【０１０７】
次に、薬剤保管庫２５は、取得した搬送先情報をデータ管理部２６へ送信する（ステップＳ３４）。
【０１０８】
薬剤保管庫２５より搬送先情報を受信すると、データ管理部２６は受信した搬送先情報に基づいて図６に示す管理表４８を検索する。そして、その搬送先情報を持つ管理薬剤補充情報を薬剤保管庫２５へ送信する。薬剤保管庫２５は、データ管理部２６より管理薬剤補充情報を受信する（ステップＳ３５）。
【０１０９】
そして、薬剤保管庫２５は、受信した管理薬剤補充情報と、入力された搬送先情報を、ディスプレイ３０に表示する（ステップＳ３６）。なお、薬剤保管庫２５は、データ管理部２６が作成した管理薬剤補充情報と搬送先情報の組み合わせデータを事前に取得して制御器６３に保存しておいて、搬送先の選択入力がされたときに、搬送先に対応した管理薬剤補充情報をディスプレイ３０に表示するようにしてもよい。
【０１１０】
図１５のフローチャートに示すように、ステップＳ３６で管理薬剤補充情報が表示された後、保管庫保冷棚部５１の電子錠の施錠解除が行なわれる（ステップＳ３７）。これにより、保管庫保冷棚部５１の中にある管理薬剤６１を取り出すことができる。
【０１１１】
薬剤保管庫２５は、管理薬剤補充情報で指定されている保管庫保冷棚部５１の中の管理薬剤６１が配置されている場所の電子棚札６２が点灯する（ステップＳ３８）。
【０１１２】
作業者は、ディスプレイ３０に表示された管理薬剤６１を保管庫保冷棚部５１より取り出して、管理薬剤容器２４に取り揃える。
【０１１３】
保管庫保冷棚部５１より管理薬剤６１を取出したときに、作業者は、管理薬剤６１のバーコードをバーコードリーダ５７に読み取らせる（ステップＳ３９）。すなわち、作業者は、保管庫保冷棚部５１より管理薬剤６１をひとつずつ取出し、取出した管理薬剤６１のバーコードをバーコードリーダ５７で読取らせる。これにより、薬剤保管庫２５の制御器６３は、取り出された管理薬剤６１のバーコードを検出する。取り揃えの必要な管理薬剤に関して、取り出しとバーコード検出を続ける。
【０１１４】
取り揃えが必要な管理薬剤を必要個数分だけバーコード検出すると、制御器６３は取り揃え終了画面（たとえば、図１０参照）をディスプレイ３０に表示する。すなわち、管理薬剤補充情報の管理薬剤のすべてのバーコードを検出すると、管理薬剤の取り揃えが終了したことを示すメッセージと、取揃終了ボタンとをディスプレイ３０に表示する（ステップＳ４０）。
【０１１５】
作業者は、管理薬剤容器２４への薬剤取揃が終了すると、ディスプレイ３０に表示された取揃終了ボタンのタッチ検出エリア６４を押す。このとき、薬剤保管庫２５は、タッチ検出エリア６４が押されたことをトリガとして、トレイ用カメラ５８により管理薬剤容器２４の収納空間にある管理薬剤６１の撮影を行う（ステップＳ４１）。トレイ用カメラ５８で撮影された撮影画像情報は、制御器６３に記録される。
【０１１６】
次に、薬剤保管庫２５は、管理薬剤容器２４の容器ＩＤをＲＦＩＤタグリーダによって検出する（ステップＳ４２）。
【０１１７】
次に、薬剤保管庫２５は、管理薬剤補充情報の薬剤の取り揃えが完了した補充完了時刻と管理薬剤容器２４の容器ＩＤと搬送先情報をデータ管理部２６へ送信し、管理薬剤容器２４のＲＦＩＤタグ４７に補充薬剤の取揃完了情報を追加記録する（ステップＳ４３）。データ管理部２６では、受信した補充完了時刻と容器ＩＤと搬送先情報により、管理表４８の搬送先情報に対応するデータとして容器ＩＤと補充完了時刻を記録する。このようにして薬剤保管庫２５での動作は終了する。
【０１１８】
管理薬剤容器２４に管理薬剤を取り揃えた後、作業者は、管理薬剤容器２４の蓋を閉じて、管理薬剤容器２４を搬送カート３１に戻す。搬送カート３１は、管理薬剤容器２４のＲＦＩＤタグ４７より容器ＩＤを検出し、データ管理部２６に送信する。そして、搬送作業者は、搬送カート３１を薬剤トレイ２２の搬送先へ移動する。搬送先の病棟のナースステーションで、搬送カート３１より管理薬剤容器２４が取出される。管理薬剤容器２４の管理薬剤６１は、一時的にナースステーションの保冷庫に収納され、適切な保冷温度で保管される。また、必要に応じて、管理薬剤６１は薬剤トレイ２２に補充される。
【０１１９】
なお、薬剤取揃支援システム９１は、管理薬剤を取り揃えた管理薬剤容器２４を、異なる搬送先の搬送カート３１に搭載する間違いを防止するために、管理薬剤容器２４の搬送先と搬送カート３１の搬送先を比較する構成にしてもよい。
【０１２０】
そのために、図１３に示す薬剤取揃支援システム９１は、管理薬剤容器２４と、薬剤トレイ２２を複数個搭載して移動する搬送カート３１を、備えてもよい。そして、薬剤保管庫２５で搬送先情報と対応づけられて検出された管理薬剤容器２４の容器ＩＤをデータ管理部２６に送信し、この容器ＩＤが搬送先情報と関連づけられてデータ管理部２６に記録される。搬送カート３１で、搭載された管理薬剤容器２４の容器ＩＤが検出されると、検出された容器ＩＤと搬送カート３１のカートＩＤがデータ管理部２６へ送信される。データ管理部２６で、カートＩＤよりカート搬送先情報を取得し、容器ＩＤに間連づけられた搬送先情報とカート搬送先情報が比較される。
【０１２１】
搬送カート３１は、データ管理部２６より、搬送先が不同一であるとする判定結果を受信すると、搬送カート３１の搬送先が異なることを作業者へ知らせる点灯部を点滅させる。搬送先が同一であれば点灯部を消灯した状態とする。
【０１２２】
このような構成とすることで、薬剤取揃支援システム９１は、管理薬剤を取り揃えた管理薬剤容器２４を、異なる搬送先の搬送カート３１に搭載する間違いを防止することができる。
【０１２３】
なお、薬剤取揃支援システム９１は、薬剤トレイ２２と管理薬剤容器２４を搬送先が異なる組み合わせで、搬送カート３１に搭載する間違いを防止するために、搬送カート３１に積載した管理薬剤容器２４と薬剤トレイ２２の搬送先を比較する構成にしてもよい。
【０１２４】
そのために、図１３に示す薬剤取揃支援システム９１は、管理薬剤容器２４と、複数個の薬剤トレイ２２を搭載して移動する搬送カート３１を、備えてもよい。そして、薬剤保管庫２５で搬送先情報に対応した管理薬剤を取り揃えた管理薬剤容器２４の容器ＩＤが検出されると、この容器ＩＤが搬送先情報と関連づけられてデータ管理部２６に記録される。薬剤払出機２３は、患者ＩＤに対応した処方箋情報に応じて一般薬剤を患者毎の薬剤トレイ２２に払い出し、薬剤トレイ２２のトレイＩＤを検出して、患者ＩＤとトレイＩＤを組み合わせてデータ管理部２６に送信する。これにより、データ管理部２６は患者ＩＤに対応づけられている搬送先情報をトレイＩＤに関連づけて記録する。搬送カート３１は、搭載された薬剤トレイ２２のトレイＩＤと管理薬剤容器２４の容器ＩＤを検出し、トレイＩＤと容器ＩＤをデータ管理部２６へ送信する。データ管理部２６は、搬送カート３１より送信されたトレイＩＤと容器ＩＤの組み合わせと、データ管理部２６に記録されているトレイＩＤと容器ＩＤの組合せが比較される。
【０１２５】
搬送カート３１は、データ管理部２６より、組み合わせが不同一であるとする判定結果を受信すると、搬送カート３１の搬送先が異なることを作業者へ知らせる点灯部を点滅させる。搬送先が同一であれば点灯部を消灯した状態とする。
【０１２６】
この構成により、薬剤トレイ２２と管理薬剤容器２４を搬送先が異なる組み合わせで、搬送カート３１に搭載する間違いを防止することができる。
【０１２７】
（実施の形態５）
図１７は、本発明の実施の形態５における薬剤取揃支援システム１０１の概略構成図である。薬剤取揃支援システム１０１は、冷却保管用の薬剤保管庫である薬剤保冷庫１０２と常温保管用の薬剤保管庫である薬剤常温庫１０３を有しており、保管条件の異なる複数の薬剤保管庫がある場合でも、それぞれの管理薬剤容器に、搬送先が同じ複数の薬剤トレイに補充すべきそれぞれの管理薬剤を間違いなく取り揃えることができるシステムである。
【０１２８】
薬剤取揃支援システム１０１は、薬剤払出機２３と、データ管理部１０６と、薬剤保管庫として保冷状態の管理薬剤を保管する薬剤保冷庫１０２と、薬剤保管庫として常温状態の管理薬剤を保管する薬剤常温庫１０３とを備える。なお、薬剤保冷庫１０２は、管理薬剤を常温よりも低い温度で保冷保管することができる薬剤保管庫であり、保冷機構以外は図７に示した薬剤保管庫２５と同じ構成である。なお、その他の部分は実施の形態１と同様なので、説明は省略する。
【０１２９】
データ管理部１０６は、管理薬剤補充情報として保冷薬剤補充情報と常温薬剤補充情報を作成して記録している。保冷薬剤補充情報は、搬送先を同一とした複数の処方箋情報に含まれる保冷管理薬剤の名称情報、個数情報をまとめた管理薬剤補充情報を意味する。また、常温薬剤補充情報は、搬送先を同一とした複数の処方箋情報に含まれる常温管理薬剤の名称情報および個数情報をまとめた管理薬剤補充情報を意味する。そして、薬剤保冷庫１０２で搬送先情報が入力されると、薬剤保冷庫１０２は、データ管理部１０６に作成され搬送先情報と関連づけられた保冷薬剤補充情報を、ディスプレイ３０に表示する。薬剤常温庫１０３で搬送先情報が入力されると、薬剤常温庫１０３は、データ管理部１０６に作成され搬送先情報と関連づけられた常温薬剤補充情報を、ディスプレイ３０に表示する。
【０１３０】
図１８は、常温保管を行う薬剤保管庫である薬剤常温庫１０３の正面図である。図１８に示す薬剤常温庫１０３は、常温管理を必要とする管理薬剤６１を内部の棚に収納して常温保管する保管庫常温棚部１０５と、保管庫常温棚部１０５の管理薬剤を管理する保管庫管理部５２とを有する。
【０１３１】
保管庫常温棚部１０５は収納棚６０および複数の電子棚札６２を有する。そして、収納棚６０に常温管理する管理薬剤６１を種類ごとに分けて、それぞれの配置エリアに並べられる。また、電子棚札６２は、配置エリアごとに収納棚６０に取り付けられる。
【０１３２】
次に、薬剤取揃支援システム９１の基本的な動作について説明する。図１９は、本実施の形態５における薬剤取揃支援システム１０１の基本動作を説明する説明図である。
【０１３３】
薬剤払出機２３は、データ管理部１０６より取得した管理情報（患者ＩＤ、処方箋情報、など）に従い、患者毎に薬剤トレイ２２へ一般薬剤を払い出す。このとき、搬送先を同一とした処方箋情報をまとめて取得し、その後に、個別の処方箋情報に従って一般薬剤を患者毎の薬剤トレイ２２へ払い出す。そして、搬送先が同じ複数の処方箋情報に対応した複数の薬剤トレイ２２を連続して搬出する。
【０１３４】
作業者は、搬送先を同じとする薬剤トレイ２２を搬送カート３１に積載し、保冷管理を必要とする管理薬剤を補充するために、搬送カート３１を薬剤保冷庫１０２の所へ移動させる。薬剤保冷庫１０２の内部もしくは近傍に配置されている容器保管部（図示を省略）より、管理薬剤容器２４を取出し、テーブル２９に管理薬剤容器２４を置く。
【０１３５】
作業者は、ディスプレイ３０に表示されている搬送先情報から搬送カート３１の搬送先に相当する表示を選択する。たとえば、搬送カート３１の搬送先が５Ｆであれば、作業者はディスプレイ３０に表示された「５Ｆ」の文字を表示するタッチ検出エリア９５を押す。すると、ディスプレイ３０に、搬送先が５Ｆの保冷薬剤補充情報が表示される。
【０１３６】
この保冷薬剤補充情報は、搬送先を５Ｆとする搬送カート３１に積んだ複数の薬剤トレイ２２に補充が必要な保冷の管理薬剤の情報である。そして、作業者は、保冷薬剤補充情報の表示に従い、管理薬剤を管理薬剤容器２４に取り揃える。このように、保冷薬剤補充情報の表示に従って薬剤の取り揃えを行うことで、保冷薬用の管理薬剤容器２４に、搬送先が同じ薬剤トレイ２２に補充すべき保冷用の管理薬剤を間違いなく取り揃えることができる。
【０１３７】
次に、作業者は、搬送先を同じとする薬剤トレイ２２に常温管理を必要とする管理薬剤を補充するために、薬剤常温庫１０３の所へ搬送カート３１を移動させる。薬剤常温庫１０３の内部または近傍に配置されている容器保管部（図示を省略）より、管理薬剤容器２４を取出し、テーブル２９に管理薬剤容器２４を置く。
【０１３８】
作業者は、ディスプレイに表示されている搬送先情報から搬送カート３１の搬送先に相当する表示を選択する。たとえば、搬送カート３１の搬送先が５Ｆであれば、作業者はディスプレイ３０に表示された「５Ｆ」の文字を表示するタッチ検出エリア９５を押す。すると、ディスプレイ３０に、搬送先が５Ｆの常温薬剤補充情報が表示される。
【０１３９】
この常温薬剤補充情報は、搬送先を５Ｆとする搬送カート３１に積んだ複数の薬剤トレイ２２に補充が必要な常温の管理薬剤の情報である。そして、作業者は、常温薬剤補充情報に従い管理薬剤を管理薬剤容器２４に取り揃える。このように、常温薬剤補充情報の表示に従って薬剤の取り揃えを行うことで、常温薬用の管理薬剤容器２４に、搬送先が同じ薬剤トレイ２２に、補充すべき常温用の管理薬剤を間違いなく取り揃えることができる。
【０１４０】
この構成により、薬剤取揃支援システム１０１は薬剤保冷庫１０２と薬剤常温庫１０３を有しており、複数の薬剤保管庫がある場合でも、管理薬剤容器２４に、搬送先が同じ複数の薬剤トレイに補充すべき管理薬剤を間違いなく取り揃えることができる。
【０１４１】
なお、上述した薬剤取揃支援システム１０１は、薬剤保冷庫１０２で保冷薬剤補充情報を表示するために薬剤保冷庫１０２に搬送先情報を入力し、また、薬剤常温庫１０３で常温薬剤補充情報を表示するために搬送先情報を入力していた。しかしながら、本実施の形態５は、そのような場合に限定されるものではない。たとえば、保冷用の管理薬剤容器２４の容器ＩＤと搬送先の保冷薬剤補充情報を関連づけてデータ管理部に記録し、常温用の管理薬剤容器２４の容器ＩＤと搬送先の常温薬剤補充情報を関連づけてデータ管理部に記録する。薬剤保冷庫１０２は、管理薬剤容器２４の容器ＩＤを検出し、データ管理部の記録情報を取得して、容器ＩＤに対応した保冷薬剤補充情報をディスプレイに表示させる。薬剤常温庫１０３は、管理薬剤容器２４の容器ＩＤを検出し、データ管理部の記録情報を取得して、容器ＩＤに対応した常温薬剤補充情報をディスプレイに表示させる。このようにするならば、管理薬剤容器２４の容器ＩＤを検出することによって、自動的に対応する補充情報を表示できる。また、薬剤保冷庫１０２に常温用の管理薬剤容器を用いる間違いや薬剤常温庫１０３に保冷用の管理薬剤容器を用いる間違いを検知して、警告表示を行うことも可能である。
【０１４２】
そのために、たとえば前述の実施の形態１の薬剤取揃支援システム２１に示した方法により、データ管理部１０６は、搬送先情報を管理薬剤容器２４の容器ＩＤに関連づけて記録する。さらに、データ管理部１０６は、管理薬剤補充情報として、搬送先を同一とした複数の処方箋情報にある保冷管理を必要とする管理薬剤の名称情報、個数情報をまとめて示す保冷薬剤補充情報を記録する。さらに、搬送先を同一とした複数の処方箋情報にある常温管理を必要とする管理薬剤の名称情報および個数情報をまとめて示す常温薬剤補充情報を記録する。そして、薬剤保冷庫１０２で管理薬剤容器２４の容器ＩＤが検出されると、データ管理部１０６に記録され容器ＩＤと間連づけられた保冷薬剤補充情報を薬剤保冷庫１０２のディスプレイに表示する。さらに、薬剤常温庫１０３で管理薬剤容器２４の容器ＩＤが検出されると、データ管理部１０６に記録され容器ＩＤと間連づけられた常温薬剤補充情報を薬剤常温庫１０３のディスプレイ３０に表示する。
【０１４３】
この構成により、薬剤取揃支援システムは薬剤保冷庫１０２と薬剤常温庫１０３を有し、管理温度の異なる複数の薬剤保管庫がある場合であっても、管理薬剤容器２４に、搬送先が同じ複数の薬剤トレイに補充すべき管理薬剤を間違いなく取り揃えることができる。
【産業上の利用可能性】
【０１４４】
本発明における薬剤取揃支援システムは、管理薬剤容器に、搬送先が同じ複数の薬剤トレイに補充すべき管理薬剤を間違いなく取り揃えることができ、搬送先であるナースステーション等が多数存在する大規模な病院施設等で有用である。
【符号の説明】
【０１４５】
２１，７０，８０，９１，１０１    薬剤取揃支援システム
２２    薬剤トレイ
２３    薬剤払出機
２４    管理薬剤容器
２５    薬剤保管庫
２６，１０６    データ管理部
２７    通信回線
２８    払出棚
２９    テーブル
２９ａ，７１ａ，８１ａ    ＲＦＩＤリーダ
３０  ディスプレイ
３１，７１，７３，８１，８３    搬送カート
４１，４７    ＲＦＩＤタグ
４５    収納部
４６    蓋部
４８    管理表
５１    保管庫保冷棚部
５２    保管庫管理部
５４    支持部
５５    パンチルトカメラ
５６    ＩＣカードリーダ
５７    バーコードリーダ
５８    トレイ用カメラ
５９    電子錠
６０    収納棚
６１    管理薬剤
６２    電子棚札
６３    制御器
６４，９５    タッチ検出エリア
７２，８２    点灯部
１０２    薬剤保冷庫
１０３    薬剤常温庫
１０５    保管庫常温棚部
【図１】
2012018560.tif 000003
【図２】
2012018560.tif 000004
【図３】
2012018560.tif 000005
【図４】
2012018560.tif 000006
【図５】
2012018560.tif 000007
【図６】
2012018560.tif 000008
【図７】
2012018560.tif 000009
【図８】
2012018560.tif 000010
【図９】
2012018560.tif 000011
【図１０】
2012018560.tif 000012
【図１１】
2012018560.tif 000013
【図１２】
2012018560.tif 000014
【図１３】
2012018560.tif 000015
【図１４】
2012018560.tif 000016
【図１５】
2012018560.tif 000017
【図１６】
2012018560.tif 000018
【図１７】
2012018560.tif 000019
【図１８】
2012018560.tif 000020
【図１９】
2012018560.tif 000021
【図２０】
2012018560.tif 000022